(57)【要約】 【課題】  消費電力の低減及び画面の焼付け防止を可能とした映像表示装置を提供する。 【解決手段】  映像入力切替手段と、入力映像信号を親画面として元の画面サイズで出力或いは画面サイズを変更して出力する第１の映像処理手段と、入力映像信号を子画面に画面サイズを変更して出力する第２の映像処理手段と、一方の映像を選択して出力若しくはマルチ画面を構成して出力するマルチ画面生成・切替手段と、リモコン等からの操作信号でマルチ画面生成・切替手段を制御する制御手段とを備え、親画面の映像出力表示状態において、予め設定した時間内にリモコン等からの操作信号が無ければ、マルチ画面表示状態に切替えて親画面の映像出力表示を止め、子画面のみの映像出力表示状態に切替える。【選択図】  図１
2005167662.tif 000002
【特許請求の範囲】
【請求項１】
映像入力切替手段と、前記入力切替手段で選択された映像信号を入力信号とし、この入力信号をそのまま元の画面サイズで出力するか、または画面サイズを縮小処理し変更して、親画面として出力を行う第１の映像処理手段と、前記入力切替手段で選択された映像信号を入力信号とし、この入力信号を画面サイズを縮小処理により変更して、子画面として出力する第２の映像処理手段と、前記第１の映像処理手段の出力と前記第２の映像処理手段の出力を入力信号とし、前記第１及び第２の入力信号のどちらか一方の映像を選択して出力するか、または両方を同時に表示したマルチ画面を生成しこれを出力するかの選択を行うマルチ画面生成・切替手段と、リモコン等からの操作信号を入力しマルチ画面生成・切替手段を制御する制御手段とを備え、
第１の映像処理手段からの映像出力表示状態（親画面表示）において、予め設定した時間内にリモコン等からの制御信号が無ければ、マルチ画面表示状態に切替えて第１の映像処理手段の映像出力表示を止め、前記第２の映像処理手段の映像出力表示状態（子画面表
示）に切替えることを特徴とする映像表示装置。
【請求項２】
前記第２の映像処理手段が、前記第２の映像処理手段の映像出力表示状態（子画面表示）で、前記第２の映像処理手段の映像表示位置を自動的に移動させることが可能である請求項１に記載の映像表示装置。
【請求項３】
前記マルチ画面生成・切替手段が、前記第２の映像処理手段の映像出力表示状態（子画面表示）で、リモコン等からの制御信号が入力されると、前記第１の映像処理手段の映像出力表示状態（親画面表示）に切替えることを特徴とする請求項１記載の映像表示装置。
【発明の詳細な説明】
【技術分野】
【０００１】
本発明は、プラズマディスプレイ等の画素単位で発光させる映像表示装置に関するものである。本発明は、映像表示装置に関し、より詳細には、映像表示装置の省電力化及び焼付け防止を可能にする技術に関する。
【背景技術】
【０００２】
従来の映像表示装置は、番組ガイドのオンスクリーン表示状態でオペレータから所定時間継続して指示が与えられなければ、所定チャンネルにチューニングする様な画面保護処理が施されている。（例えば、特許文献１参照。）
また、映像表示装置の大画面化が進み消費電力が大きい映像表示装置が増加しており、例えば、プラズマディスプレイでは３００Ｗ程度の消費電力であり、回路部分５０Ｗ程度に対し、パネル電力が２５０Ｗ程度あり消費電力の約８０％がパネル部分で消費されている。
さらに、このパネル部分で消費されている電力は、パネルの輝度を最大に上げた状態に対し真っ黒に輝度を下げた状態では５０％以下に半減する。
また、２画面表示等のマルチ画面表示が可能な映像表示装置や、デジタルスチルカメラ（ＤＳＣ）等の静止画像を表示させる新しい機能が映像表示装置に追加されていて、最近大型のディスプレーにもメモリーカードのスロットを設けてデジタルスチルカメラ（ＤＳＣ）等の静止画像を表示する機会が増えてきている。しかし、これらの機能は視聴者がリモコン等で設定して利用するものであり、視聴者からの操作信号が無ければ画面表示はそのままの状態で表示し続ける。
【特許文献１】特開平１１−２７５４８３号公報（第５頁、第１図）
【発明の開示】
【発明が解決しようとする課題】
【０００３】
しかしながら、前記従来の構成では、消費電力が大きいプラズマディスプレイ等の映像表示装置において、長時間番組等の画面を表示させておくと電力の無駄が大きく、パネルの消費電力の低減が課題となっている。さらにＤＳＣ等の静止画等を長時間表示させておくと画面の焼付けが発生するという課題を有していた。
【０００４】
本発明は、前記従来の課題を解決するもので、予め設定した時間内にリモコン等からの操作信号が無い場合に、消費電力の低減及び画面の焼付け防止を可能とした映像表示装置を提供することを目的とする。
【課題を解決するための手段】
【０００５】
前記従来の課題を解決するために、本発明の映像表示装置は、映像入力切替手段と、前記入力切替手段で選択された映像信号を入力信号とし、この入力信号をそのまま元の画面サイズで出力するか、または画面サイズを縮小処理し変更して、親画面として出力を行う第１の映像処理手段と、前記入力切替手段で選択された映像信号を入力信号とし、この入力信号を画面サイズを縮小処理により変更して、子画面として出力する第２の映像処理手段と、前記第１の映像処理手段の出力と前記第２の映像処理手段の出力を入力信号とし、前記第１及び第２の入力信号のどちらか一方の映像を選択して出力するか、または両方を同時に表示したマルチ画面を生成しこれを出力するかの選択を行うマルチ画面生成・切替手段と、リモコン等からの操作信号を入力しマルチ画面生成・切替手段を制御する制御手段とを備え、第１の映像処理手段からの映像出力表示状態（親画面表示）において、予め設定した時間内にリモコン等からの制御信号が無ければ、マルチ画面表示状態に切替えて第１の映像処理手段の映像出力表示を止め、前記第２の映像処理手段の映像出力表示状態（子画面表示）に切替えることを特徴としたものである。
【０００６】
また、本発明は、請求項１に記載の映像表示装置において、前記第２の映像処理手段が、前記第２の映像処理手段の映像出力表示状態（子画面表示）で、前記第２の映像処理手段の映像表示位置を自動的に移動させることを特徴としたものである。
【０００７】
また、本発明は、請求項１、２に記載の映像表示装置において、前記マルチ画面生成・切替手段が、前記第２の映像処理手段の映像出力表示状態（子画面表示）で、リモコン等からの制御信号が入力されると、前記第１の映像処理手段の映像出力表示状態（親画面表示）に切替えることを特徴としたものである。
【発明の効果】
【０００８】
本発明の映像表示装置によれば、予め設定した時間内にリモコン等からの操作信号が無い場合に、プラズマディスプレイ等の映像表示装置の消費電力の低減及び画面の焼付け防止を可能にすることができる。
【発明を実施するための最良の形態】
【０００９】
以下に、本発明の映像表示装置の実施の形態を図面とともに詳細に説明する。
【００１０】
（実施の形態１）
図１は、本発明の第１の実施例における映像表示装置の構成図を示す。
【００１１】
図１において、１は映像表示装置であり、２はアンテナからの放送波を入力する端子であり、３、４、５は音声信号および映像信号を入力する端子であり、１０は番組放送波を受信して選局しそのアナログ映像音声信号を出力するチューナ、１１はチューナ１０からの映像音声信号や外部入力端子３、４、５から入力された映像音声信号を選択して切り替えて出力する映像入力切替回路であり、１２および１３は映像入力切替回路１１から入力された映像信号をディジタル映像データに変換するとともに、その画面サイズの変更を映像データの間引きや補間処理により行う映像処理手段、１４は２画面等のマルチ画面を実現するために映像データを一時記録しておくメモリである。１５は映像表示装置１が動作するために必要なシステム関連データやユーザ用の映像・音声・操作関係の設定データ等の可変なパラメータのデータを保持しておくための不揮発性メモリであり、１６は映像表示装置１内の各部を制御する制御手段（マイクロコントローラ）であり、１７は第1の映像処理手段１２および第２の映像処理手段１３から入力された複数の映像データから１つの画面を選択或いは２画面表示等のマルチ画面を生成するマルチ画面生成・切替手段であり、１８はマルチ画面生成・切替手段が出力した映像を表示する、例えば大画面プラズマパネルを有する表示装置である。２０は赤外線受光部であり、２１はユーザが選択したコマンドのリモコン信号を出力し赤外線受光部２０を経由して制御手段１６に指示するリモートコントローラである。
【００１２】
次に映像表示装置１について、その動作を図１を用いて説明する。
ユーザがリモートコントローラ２１を用いてチャンネル選局の指示をすると、制御手段（マイクロコントローラ）１６はチューナ１０に対して選局制御を行い、チューナ１０は指示されたチャンネルの映像音声信号を映像入力切替回路１１へ出力する。マイクロコントローラ１６は、映像入力切替回路１１が前記チューナ１０からの映像信号を第１の映像処理手段１２へ出力するように切り替えるとともに、映像入力切替回路１１が前記チューナ１０からの映像信号を第２の映像処理手段１３へ出力するように切り替える。
【００１３】
まず、１つの映像が表示されている場合について説明する。この場合、第１の映像処理手段１２は、映像信号に対してアナログ−ディジタル変換を行って映像データに変換してメモリ１４へ出力する。また、第１の映像処理手段１２は、メモリ１４から映像データを読み取って、マルチ画面生成・切替手段１７へ出力し、マルチ画面生成・切替手段１７は、入力された映像データをディジタルｒｇｂデータに変換した後、そのディジタルｒｇｂデータをディジタル−アナログ変換によってアナログＲＧＢ信号に変換して出力し、表示装置１８はそのアナログｒｇｂ信号の映像を画面に表示する。このようにして、番組の１つの映像が表示装置に表示される。上記は、チューナ１０からの番組映像を表示する場合について説明したが、入力端子３、４、５に入力される映像信号についても、映像入力切替回路１１が切り替えられて、上記同様に表示装置にその映像が表示される。
【００１４】
次に、前記のように１つの映像が表示されている場合、さらに第２の映像が表示される場合について説明する。この場合には、前記同様に、ユーザによって選択指示された第２の映像が映像入力切替回路１１により切り替えられて、第２の映像処理手段１３によって、第１の映像処理手段１２で行われている処理と同様な処理がなされ、マルチ画面生成・切替手段１７に映像データが伝送され、マルチ画面生成・切替手段１７によって、第１の映像と第２の映像を図３の（Ａ）に示す様な親画面内に子画面が表示されるｐｉｎｐ、あるいは図３の（Ｂ）に示す様な画面内に親画面と子画面が並置されたいわゆるスプリット画面として従来のマルチ画面処理技術を用いて表示される。以上が第１の映像と第２の映像を同時に表示する場合の説明である。
【００１５】
次に、前記のように第１の映像のみが表示されている場合に、予め設定した時間内にリモコン等からの操作信号が無い場合について説明する。リモートコントローラ２１からの操作信号が無い場合、制御手段（マイクロコントローラ）１６が第１の映像処理手段の映像出力の表示を止め、第２の映像処理手段の映像出力のみ表示するようにマルチ画面生成・切替手段１７を切替える。例えば、図２の（Ａ）の１画面表示から、図２の（Ｂ）のようにｐＩＮｐの主画面が無信号で子画面部分に入力映像が表示される画面を表示装置１９が表示する。
【００１６】
また、前記子画面部分に入力映像が表示される画面が表示されている場合に、第２の映像処理手段１３が、メモリ１４から映像データを読み取るタイミングを予め設定した任意のタイミングに変更することにより、図２の（Ｃ）のように子画面部分に入力映像が表示される画面位置を自動的に移動させる事が可能である。
【００１７】
以上のように、本実施の形態１においては、第１の映像のみが表示されている場合に、予め設定した時間内にリモコン等からの操作信号が無い場合に、制御手段１６が第１の映像処理手段の映像出力表示を止め、第２の映像処理手段の映像出力表示のみにマルチ画面生成・切替手段１７を切替えることにより、画面上の表示範囲を小さくすることが可能となり、映像表示装置の消費電力を低減することができる。
これにより、例えば映像表示が連続で続く映画等を見る場合には映画の時間分の設定を行なって、見終わった後のディスプレーの切り忘れによる電力の無駄を防いだり、子供のテレビの見すぎを防止する為に決めた時間を過ぎれば表示を切替えて注意をうながすことが可能になる。
【００１８】
また、本実施の形態１では、前記子画面部分に入力映像が表示される画面が表示されている場合に、第２の映像処理手段１３が、メモリ１４から映像データを読み取るタイミングを予め設定した任意のタイミングに変更することにより、前記第２の映像処理手段が、前記第２の映像処理手段の映像出力表示状態（子画面表示）で前記第２の映像処理手段の映像表示位置を自動的に移動させることなり、プラズマディスプレイ等の映像表示装置の画面の焼付け防止を可能にすることもできる。
これにより、うっかり寝てしまってテストパターンが何時間も続いた場合等のディスプレーの焼付けを防止することが可能になる。
【００１９】
また、本実施の形態１では、前記子画面部分に入力映像が表示される画面が表示されている状態で、リモコンからのチャンネル操作や音量操作等の視聴者の操作信号が制御手段に届いた場合に、前記マルチ画面生成・切替手段が、前記第２の映像処理手段の映像出力（子画面表示）を、前記第１の映像処理手段の映像出力（親画面表示）に切替えることにより、子画面表示から親画面表示に切り替ることになり、見たい場面でスムーズな大画面表示を行なうこともできる。
【産業上の利用可能性】
【００２０】
本発明にかかる映像表示装置は、一定時間操作信号が無ければ画面サイズを小さくして消費電力を低減する効果を有し、プラズマディスプレイ等の映像表示装置の消費電力の低減を可能にする映像表示装置として有用である。
【００２１】
また、本発明にかかる映像表示装置は、一定時間操作信号が無い場合に画面サイズを小さくした状態で、画面位置を自動的に移動させる効果を有し、プラズマディスプレイ等の映像表示装置の画面の焼付け防止を可能にする映像表示装置として有用である。
【図面の簡単な説明】
【００２２】
【図１】本発明の実施の形態１における映像表示装置の構成図
【図２】本発明の実施の形態１における映像の表示例を示す図
【図３】本発明の実施の形態１における映像の表示例を示す図
【符号の説明】
【００２３】
１  画像合成装置
２  地上波放送のアンテナ入力端子
３、４、５  映像および音声入力端子
１０  チューナ
１１  映像入力切替回路
１２  第１の映像処理手段
１３  第２の映像処理手段
１４  メモリ
１５  不揮発性メモリ
１６  制御手段（マイクロコントローラ）
１７  マルチ画面生成・切替手段
１８  表示装置
２０  リモコン信号受光部
２１  リモートコントローラ
【図１】
2005167662.tif 000003
【図２】
2005167662.tif 000004
【図３】
2005167662.tif 000005